(57)【特許請求の範囲】
【請求項１】
ワイヤーハーネスを収納するメインプロテクタと、前記メインプロテクタに収納された前記ワイヤーハーネスを屈曲させて前記メインプロテクタから引き出すためのサブプロテクタとを備え、
前記メインプロテクタは、前記ワイヤーハーネスが収納される本体と、前記本体に設けられて前記サブプロテクタが取り付けられる屈曲部と、前記本体を開閉する蓋にヒンジを介して連設された補助蓋とを有し、
前記サブプロテクタは、前記本体に収納された前記ワイヤーハーネスを前記本体内での配索方向に対して屈曲させて固定する固定部を有しており、
前記蓋が前記本体を閉じた状態で前記補助蓋が前記屈曲部に係止し、前記サブプロテクタが前記屈曲部に係止することで、前記補助蓋及び前記サブプロテクタが、前記屈曲部を介して一体化されることを特徴とする三次元配索用プロテクタ。
【請求項２】
前記ワイヤーハーネスの所定位置には、コルゲートチューブが設けられていることを特徴とする請求項１に記載の三次元配索用プロテクタ。
【請求項３】
前記固定部には、前記コルゲートチューブを把持するための爪片が設けられていることを特徴とする請求項１または２に記載の三次元配索用プロテクタ。
【発明の詳細な説明】
【技術分野】
【０００１】
本発明は、ワイヤーハーネスを三次元的に配索する際に適用するに好適な、三次元配索用プロテクタおよびワイヤーハーネスの三次元配索方法に関するものである。
【背景技術】
【０００２】
図６は従来の三次元配索用プロテクタの第１例を示す斜視図、図７は従来の三次元配索用プロテクタの第２例を示す斜視図であって、（ａ）はガイド片が開いた状態を示す図、（ｂ）はガイド片が閉じた状態を示す図である。
【０００３】
従来、この種の三次元配索用プロテクタ１としては、図６に示すように、太いワイヤーハーネス用の出口５にガイド片６が若干の角度（例えば、約２０°）で斜めに上方に向けて付設されたものが知られていた。そして、この三次元配索用プロテクタ１にワイヤーハーネスを三次元的に配索する際には、本体７内にワイヤーハーネス（図示せず）を収納し、出口５からワイヤーハーネスをガイド片６に沿わせて斜め上方に引き出していた。
【０００４】
また、別の三次元配索用プロテクタ１として、図７に示すように、出口５にガイド片６がヒンジを介して回動自在に形成されたものが知られていた（例えば、特許文献１参照）。そして、この三次元配索用プロテクタ１にワイヤーハーネスを三次元的に配索する際には、図７（ａ）に示すように、ガイド片６が開いた状態で、本体７内にワイヤーハーネス（図示せず）を収納した後、図７（ｂ）に示すように、ガイド片６を立ち上げて閉じていた（以下、公知技術２という。）。
【特許文献１】特開平９−６５５４０号公報
【発明の開示】
【発明が解決しようとする課題】
【０００５】
しかし、公知技術１では、三次元配索用プロテクタ１の外側でワイヤーハーネスをさらに屈曲させなければならないので、ワイヤーハーネスの寸法を管理することができないという不具合があった。
【０００６】
他方、公知技術２では、細いワイヤーハーネスに適用できるに過ぎず、ワイヤーハーネスが太い場合、ワイヤーハーネスの屈曲に伴うワイヤーハーネスの余長を吸収することが非常に難しいという問題点があった。
【０００７】
本発明は、こうした課題を解決することが可能な、三次元配索用プロテクタおよびワイヤーハーネスの三次元配索方法を提供することを目的とする。
【課題を解決するための手段】
【０００８】
まず、請求項１に係る三次元配索用プロテクタの発明では、ワイヤーハーネスを収納するメインプロテクタと、前記メインプロテクタに収納された前記ワイヤーハーネスを屈曲させて前記メインプロテクタから引き出すためのサブプロテクタとを備え、前記メインプロテクタは、前記ワイヤーハーネスが収納される本体と、前記本体に設けられて前記サブプロテクタが取り付けられる屈曲部と、前記本体を開閉する蓋にヒンジを介して連設された補助蓋とを有し、前記サブプロテクタは、前記本体に収納された前記ワイヤーハーネスを前記本体内での配索方向に対して屈曲させて固定する固定部を有しており、前記蓋が前記本体を閉じた状態で前記補助蓋が前記屈曲部に係止し、前記サブプロテクタが前記屈曲部に係止することで、前記補助蓋及び前記サブプロテクタが、前記屈曲部を介して一体化されることを特徴とする。
また、請求項２に係る三次元配索用プロテクタの発明では、前記ワイヤーハーネスの所定位置には、コルゲートチューブが設けられていることを特徴とする。
また、請求項３に係る三次元配索用プロテクタの発明では、前記固定部には、前記コルゲートチューブを把持するための爪片が設けられていることを特徴とする。
【発明の効果】
【０００９】
本発明によれば、ワイヤーハーネスの寸法を確保した状態で、ワイヤーハーネスを三次元配索用プロテクタの内側で所定角度に屈曲させることができる。その結果、ワイヤーハーネスの寸法を管理しながら、ワイヤーハーネスを三次元的に配索することが可能となる。
【発明を実施するための最良の形態】
【００１０】
以下、本発明の実施形態を図面に基づいて説明する。
【００１１】
＜第１の実施形態＞
図１は本発明に係る三次元配索用プロテクタの第１の実施形態を示す斜視図、図２は本発明に係るワイヤーハーネスの三次元配索方法の一実施形態におけるサブプロテクタ取付工程を示す斜視図であって、（ａ）はサブプロテクタにコルゲートチューブを載置する前の状態図、（ｂ）はサブプロテクタにコルゲートチューブを載置した後の状態図、（ｃ）はサブプロテクタを閉蓋した状態図、図３は本発明に係るワイヤーハーネスの三次元配索方法の一実施形態におけるサブプロテクタ固定工程を示す斜視図であって、（ａ）はメインプロテクタにサブプロテクタを載置する前の状態図、（ｂ）はメインプロテクタにサブプロテクタを載置した後の状態図、（ｃ）はメインプロテクタにサブプロテクタを嵌合させた状態図、（ｄ）はメインプロテクタにサブプロテクタを固定した状態図である。
【００１２】
三次元配索用プロテクタ１は、図１に示すように、メインプロテクタ２とサブプロテクタ４とから構成されている。
【００１３】
ここで、メインプロテクタ２は、図１に示すように、段差付き樋状の本体２１を有しており、本体２１には４個の出口２２Ａ、２２Ｂ、２２Ｃ、２２Ｄが三次元方向に形成されている。また、本体２１の側面上端には４枚の蓋２３Ａ、２３Ｂ、２３Ｃ、２３Ｄが回動自在に取り付けられている。各蓋２３Ａ、２３Ｂ、２３Ｃ、２３Ｄにはそれぞれ複数個の係合爪２４が形成されており、本体２１の側面には、これらの係合爪２４に対応する位置に複数個の係合片２５が形成されている。また、出口２２Ｄの近傍には屈曲部２６が形成されている。屈曲部２６には左右一対の差込口２７、２７が形成されており、これらの差込口２７、２７を水平に結ぶ形で水平リブ２８が形成されている。さらに、水平リブ２８には係合片２９が形成されている。また、蓋２３Ｄには補助蓋３１が、図１および図３（ａ）に示すように、薄肉のヒンジ３２を介して矢印Ｍ、Ｎ方向に１８０°回動自在に連設されている。補助蓋３１には、左右一対の係止片３３、３３が形成されており、屈曲部２６には、これらの係止片３３、３３に対応する位置に左右一対の係止爪３４、３４が形成されている。さらに、補助蓋３１にはバンド溝３５が形成されている。
【００１４】
一方、サブプロテクタ４は、図１に示すように、樋状の固定部４１を有しており、固定部４１には蓋４２が回動自在に取り付けられている。蓋４２には係合爪４８が形成されており、固定部４１には、この係合爪４８に対応する位置に係合片４９が形成されている。また、固定部４１には３個の円弧状の爪片４３が形成されているとともに、蓋４２には３個の円弧状の爪片４４が形成されており、これらの爪片４３、４４は、蓋４２が閉まると円を描く。これらの爪片４３、４４の間隔は、後述するコルゲートチューブＣのピッチ（隣接する谷部間の距離）の整数倍となっている。さらに、固定部４１には挿通板４５が連設されている。挿通板４５の先端には、メインプロテクタ２の係合片２９に係合する係合爪４６が突設されており、挿通板４５の左右両側にはそれぞれ差込片４７が突設されている。また、挿通板４５には、図３（ｂ）に示すように、バンド溝５０が水平に形成されている。
【００１５】
三次元配索用プロテクタ１は以上のような構成を有するので、この三次元配索用プロテクタ１にワイヤーハーネスを三次元的に配索する際には、次の手順による。
【００１６】
まず、図２に示すように、サブプロテクタ取付工程で、ワイヤーハーネスＷの寸法を確保するため、ワイヤーハーネスＷの所定位置にコルゲートチューブＣを介してサブプロテクタ４を取り付ける。すなわち、ワイヤーハーネスＷに短尺のコルゲートチューブＣを周設し、コルゲートチューブＣをテーピングでワイヤーハーネスＷに固定する。ここで、「短尺」とは、サブプロテクタの固定部より長く、作業に支障がない長さをいう。次いで、図２（ａ）に示すように、サブプロテクタ４の蓋４２を開け、図２（ｂ）に示すように、サブプロテクタ４の固定部４１にコルゲートチューブＣを載置した後、図２（ｃ）に示すように、サブプロテクタ４の蓋４２を閉める。すると、固定部４１の爪片４３および蓋４２の爪片４４がコルゲートチューブＣを把持する。このとき、爪片４３、４４の間隔はコルゲートチューブＣのピッチの整数倍となっているので、すべての爪片４３、４４はコルゲートチューブＣの谷部に噛み合う。したがって、サブプロテクタ４はコルゲートチューブＣを介してワイヤーハーネスＷの所定位置に強固に固定される。これにより、ワイヤーハーネスＷの寸法が確保された状態となる。
【００１７】
こうしてワイヤーハーネスＷの寸法が確保されたところで、図３に示すように、サブプロテクタ固定工程に移行し、メインプロテクタ２にサブプロテクタ４を固定してワイヤーハーネスＷを真上に引き出す。
【００１８】
それには、図３（ａ）に示すように、メインプロテクタ２の本体２１内にワイヤーハーネスＷを収納した後、メインプロテクタ２の蓋２３Ａ、２３Ｂ、２３Ｃ、２３Ｄを閉める。
【００１９】
次いで、図３（ｂ）に示すように、メインプロテクタ２にサブプロテクタ４を載置する。次いで、図３（ｃ）に示すように、メインプロテクタ２にサブプロテクタ４を落とし込んで嵌合させる。このとき、サブプロテクタ４を落とし込むだけでメインプロテクタ２に嵌合させることができるため、作業性に優れる。
【００２０】
次いで、図３（ｄ）に示すように、メインプロテクタ２にサブプロテクタ４を固定する。それには、メインプロテクタ２の補助蓋３１をサブプロテクタ４側、つまり矢印Ｎ方向に回動させて係止片３３、３３を係止爪３４、３４に係止させる。さらに、メインプロテクタ２のバンド溝３５およびサブプロテクタ４のバンド溝５０にバンド（図示せず）を締結して完全に固定する。すると、メインプロテクタ２にサブプロテクタ４が固定され、ワイヤーハーネスＷが屈曲部２６で屈曲して出口２２Ｄから真上に引き出された状態となる。
【００２１】
ここで、ワイヤーハーネスＷの三次元配索作業が終了する。
【００２２】
このようにすれば、ワイヤーハーネスＷの寸法を確保した状態で、ワイヤーハーネスＷを三次元配索用プロテクタ１の内側で所定角度（ここでは９０°）に屈曲させることができる。その結果、ワイヤーハーネスＷの寸法を管理しながら、ワイヤーハーネスＷを三次元的に配索することが可能となる。
【００２３】
また、ワイヤーハーネスＷは、前記バンドの締結力により、補助蓋３１およびサブプロテクタ４を介してメインプロテクタ２の屈曲部２６に強固に固定されているので、ワイヤーハーネスＷの運搬時やワイヤーハーネスＷの車両配索時などにワイヤーハーネスＷの寸法がずれる恐れはない。しかも、メインプロテクタ２の屈曲部２６には水平リブ２８が形成されているため、ワイヤーハーネスＷの固定力は一層強大となる。
【００２４】
また、ワイヤーハーネスＷとサブプロテクタ４とを固定するコルゲートチューブＣは短尺であるため、ワイヤーハーネスＷに対するサブプロテクタ４の位置決めが容易であると同時に、両者間の固定力が高まり、さらに、作業性が良好となる。
【００２５】
＜第２の実施形態＞
図４は本発明に係る三次元配索用プロテクタの第２の実施形態を示す斜視図である。
【００２６】
上述の実施形態においては、屈曲部２６に水平リブ２８を備えたメインプロテクタ２について説明したが、図４に示すように、この水平リブ２８を省くこともできる。
【００２７】
＜第３の実施形態＞
図５は本発明に係る三次元配索用プロテクタの第３の実施形態を示す斜視図である。
【００２８】
上述の実施形態においては、メインプロテクタ２にサブプロテクタ４を落とし込んで嵌合させる場合について説明したが、図５に示すように、メインプロテクタ２にサブプロテクタ４を横からスライドさせて嵌合させるようにしても構わない。すなわち、メインプロテクタ２の本体２１に左右一対の係合爪３６、３６を形成するとともに、サブプロテクタ４に左右一対の係合片５１、５１を形成しておき、メインプロテクタ２にサブプロテクタ４を嵌合させる際には、メインプロテクタ２に対してサブプロテクタ４を横から矢印Ｌ方向にスライドさせて各係合爪３６を各係合片５１に差し込む。この場合、２箇所で嵌着されるので、メインプロテクタ２に対するサブプロテクタ４の固定力は強大となる。
【００２９】
＜その他の実施形態＞
上述の実施形態においては、ワイヤーハーネスＷを真上に引き出す場合について説明した。しかし、ワイヤーハーネスＷを屈曲させて引き出す限り、真上に限らず、斜め上、横向き（水平方向）、下向き（真下、斜め下）にワイヤーハーネスＷを引き出す場合に本発明を適用することも可能である。
【産業上の利用可能性】
【００３０】
本発明は、自動車、航空機、電車、製造プラント、電化製品、ＯＡ機器など各種の産業分野に広く適用することができる。
【図面の簡単な説明】
【００３１】
【図１】本発明に係る三次元配索用プロテクタの第１の実施形態を示す斜視図である。
【図２】本発明に係るワイヤーハーネスの三次元配索方法の一実施形態におけるサブプロテクタ取付工程を示す斜視図であって、（ａ）はサブプロテクタにコルゲートチューブを載置する前の状態図、（ｂ）はサブプロテクタにコルゲートチューブを載置した後の状態図、（ｃ）はサブプロテクタを閉蓋した状態図である。
【図３】本発明に係るワイヤーハーネスの三次元配索方法の一実施形態におけるサブプロテクタ固定工程を示す斜視図であって、（ａ）はメインプロテクタにサブプロテクタを載置する前の状態図、（ｂ）はメインプロテクタにサブプロテクタを載置した後の状態図、（ｃ）はメインプロテクタにサブプロテクタを嵌合させた状態図、（ｄ）はメインプロテクタにサブプロテクタを固定した状態図である。
【図４】本発明に係る三次元配索用プロテクタの第２の実施形態を示す斜視図である。
【図５】本発明に係る三次元配索用プロテクタの第３の実施形態を示す斜視図である。
【図６】従来の三次元配索用プロテクタの第１例を示す斜視図である。
【図７】従来の三次元配索用プロテクタの第２例を示す斜視図であって、（ａ）はガイド片が開いた状態を示す図、（ｂ）はガイド片が閉じた状態を示す図である。
【符号の説明】
【００３２】
１……三次元配索用プロテクタ
２……メインプロテクタ
４……サブプロテクタ
２１……本体
２２Ａ、２２Ｂ、２２Ｃ、２２Ｄ……出口
２３Ａ、２３Ｂ、２３Ｃ、２３Ｄ……蓋
２６……屈曲部
３１……補助蓋
４１……固定部
４２……蓋
４３、４４……爪片
Ｃ……コルゲートチューブ
Ｗ……ワイヤーハーネス
【図１】
0004541314.tif 000002
【図２】
0004541314.tif 000003
【図３】
0004541314.tif 000004
【図４】
0004541314.tif 000005
【図５】
0004541314.tif 000006
【図６】
0004541314.tif 000007
【図７】
0004541314.tif 000008